(57)【要約】【課題】  プロテクターの装着用のベルトを、Ｙ型使用姿勢と、首掛け使用姿勢と、に部品を余らせたり他部品を追加したりすることなく変更自在とすることを目的とする。【解決手段】  プロテクター本体１の背面側に吊り具11と腰ベルト４とを備え、吊り具11は、その上端部にてプロテクター本体１の上部に取り付けられると共に下端部にて腰ベルト４と連結されるＹ型使用姿勢と、プロテクター本体１の上部に略水平状に取り付けられる首掛け使用姿勢と、に部品を余らせたり他部品を追加することなく変更自在となっている。【選択図】  図１
2006043225.tif 000002
【特許請求の範囲】
【請求項１】
プロテクター本体（１）の背面側に吊り具（11）と腰ベルト（４）とを備え、該吊り具（11）は、その上端部にて上記プロテクター本体（１）の上部に取り付けられると共に下端部にて腰ベルト（４）と連結されるＹ型使用姿勢と、上記プロテクター本体（１）の上部に略水平状に取り付けられる首掛け使用姿勢と、に部品を余らせたり他部品を追加することなく変更自在となっていることを特徴とするプロテクター。
【請求項２】
Ｙ型使用姿勢に於て、吊り具（11）は、Ｙ字状のベルト体（２）と、該ベルト体（２）の下部に取り付けられる折り畳み状の連結片（５）と、から成り、上記ベルト体（２）は、上部中央の保持片（８）と、該保持片（８）から左右斜上方向へ延伸状の肩掛けベルト（３)(３）と、上記保持片（８）から垂設された背面ベルト（９）とを、有し、上記ベルト体（２）の背面ベルト（９）と、上記腰ベルト（４）の左右中央部位とは、着脱自在に、上記連結片（５）を介して連結され、
さらに、首掛け使用姿勢に於て、上記連結片（５）は、展開して、上記ベルト体（２）の肩掛けベルト（３)(３）の基部と保持片（８）と背面ベルト（９）とを収納し両端の開口部（７)(７）から上記肩掛けベルト（３)(３）を突出する挿通孔（６）を具備する請求項１記載のプロテクター。
【請求項３】
首掛け使用姿勢に於て、上記ベルト体（２）の保持片（８）は、上下に折り畳まれて、上記背面ベルト（９）をその保持片（８）に巻き付けて固定する固定部材（10）を備えた請求項１又は２記載のプロテクター。
【発明の詳細な説明】
【技術分野】
【０００１】
本発明は、スポーツ用プロテクターに関する。
【背景技術】
【０００２】
従来、野球やソフトボール等のスポーツで捕手等が使用する胸部、腹部及び肩部のプロテクターとして、プロテクター本体の背面側に装着用のベルトを備えたものがあり、プロテクター本体を首に掛けて吊り下げるタイプの首掛け型と、両肩に掛けて吊り下げるタイプのＹ字型と、があった（例えば、特許文献１参照）。
【特許文献１】実用新案登録第３０７０２４０号公報
【発明の開示】
【発明が解決しようとする課題】
【０００３】
一般的に、プロテクターを使用するにあたって、素早く装着するには首掛け型のプロテクターがよく、また、安定して装着するにはＹ字型のものが好ましい。このように、これら２つのタイプのプロテクターは、その使用目的等に応じて使い分けされていた。
しかし、一方のタイプのプロテクターを購入しても、使用目的等が変われば、他方のタイプのものを購入しなければならず、使用しない方の保管の問題や経済的に負担となる問題があった。
【０００４】
そこで、本発明は、プロテクターの装着用のベルトを、Ｙ型使用姿勢と、首掛け使用姿勢と、に部品を余らせたり他部品を追加したりすることなく変更自在とすることを目的とする。
【課題を解決するための手段】
【０００５】
上記目的を達成するために、本発明に係るプロテクターは、プロテクター本体の背面側に吊り具と腰ベルトとを備え、該吊り具は、その上端部にて上記プロテクター本体の上部に取り付けられると共に下端部にて腰ベルトと連結されるＹ型使用姿勢と、上記プロテクター本体の上部に略水平状に取り付けられる首掛け使用姿勢と、に部品を余らせたり他部品を追加することなく変更自在となっているものである。
【０００６】
また、Ｙ型使用姿勢に於て、吊り具は、Ｙ字状のベルト体と、該ベルト体の下部に取り付けられる折り畳み状の連結片と、から成り、上記ベルト体は、上部中央の保持片と、該保持片から左右斜上方向へ延伸状の肩掛けベルトと、上記保持片から垂設された背面ベルトとを、有し、上記ベルト体の背面ベルトと、上記腰ベルトの左右中央部位とは、着脱自在に、上記連結片を介して連結され、さらに、首掛け使用姿勢に於て、上記連結片は、展開して、上記ベルト体の肩掛けベルトの基部と保持片と背面ベルトとを収納し両端の開口部から上記肩掛けベルトを突出する挿通孔を具備する。
【０００７】
また、首掛け使用姿勢に於て、上記ベルト体の保持片は、上下に折り畳まれて、上記背面ベルトをその保持片に巻き付けて固定する固定部材を備えた。
【発明の効果】
【０００８】
本発明は、次のような著大な効果を奏する。
本発明に係るプロテクターによれば、１つのプロテクターでＹ型使用姿勢と首掛け使用姿勢のどちらのタイプでも使用できる。
このことによって、どちらか一方のタイプのプロテクターを購入した後、使用目的や好み等が変わっても、他のタイプのものに買い換えたり、始めから両方揃えておく必要はなく、経済的な負担の問題や使用しない方の保管の問題は解消される。
さらに、Ｙ型使用姿勢と首掛け使用姿勢とを、一方から他方へ変更する際に、部品が余ったり追加したりすることがないので、使用しない部品を保管する必要はなく、部品を紛失する虞れもない。
【発明を実施するための最良の形態】
【０００９】
以下、実施の形態を示す図面に基づき本発明を詳説する。
図１〜図５に示す第１の実施の形態に於て、胸部、腹部及び肩部を保護するプロテクター本体１の背面側に吊り具11と腰ベルト４とを備えている。吊り具11は、その上端部にてプロテクター本体１の上部に取り付けられると共に下端部にて腰ベルト４と連結されるＹ型使用姿勢と、プロテクター本体１の上部に略水平状に取り付けられる首掛け使用姿勢と、に部品を余らせたり他部品を追加することなく変更自在となっている。
また、図１はＹ型使用姿勢を示し、図２は首掛け使用姿勢を示す。
【００１０】
Ｙ型使用姿勢に於て、吊り具11は、Ｙ字状のベルト体２と、ベルト体２の下部に取り付けられる連結片５と、から成っている。さらに、ベルト体２は、上部中央の保持片８と、保持片８から左右斜上方向へ延伸状の肩掛けベルト３，３と、保持片８から垂設された背面ベルト９とを有している。また、肩掛けベルト３はゴム等の弾性素材で成型され、伸縮するようになっている。ベルト体２の背面ベルト９と、腰ベルト４の左右中央部位とは、着脱自在に連結片５を介して連結されている。
【００１１】
保持片８は、横長の台形の底辺（下底）に同一形状の倒立台形を上下に連設した六角形のベース部12と、ベース部12の下端に一体状に付設される倒立台形の折返し部13と、から成り、肩掛けベルト３の基部はベース部12に付設され、肩掛けベルト３の先端部にはワンタッチバックルの雄部14ａを有している。そして、プロテクター本体１の（装着時に肩の位置に配置される）左右の上端縁に、ベルトを介してワンタッチバックルの雌部15ａが付設され、その雌部15ａに肩掛けベルト３の雄部14ａが着脱自在に取り付けられている。また、折返し部13の下端部には背面ベルト９の基部が付設され、背面ベルト９の先端部は、連結片５の上部に付設されたバックル16に着脱自在に取り付けられ、かつ、背面ベルト９の保持片８と連結片５の間の長さを調節可能となっている。
【００１２】
腰ベルト４は、プロテクター本体１の下部に水平状に付設され、腰ベルト４の左右両端には、ワンタッチバックルの雄部14ｂ，14ｂを有し、雄部14ｂ，14ｂは、プロテクター本体１の下部の左右両端縁にベルトを介して付設されたワンタッチバックルの雌部15ｂ，15ｂに、着脱自在に取り付けられている。
【００１３】
また、図４（ａ）に示すように、連結片５は、側面視にて、略Ｖ字型に折り畳まれており、その折り畳まれた間を腰ベルト４が通っている。連結片５は、折り畳み展開自在の本体部17と、折り畳み状態（Ｙ型使用姿勢）での本体部17の両外側面に被着されるカバー部18，18と、を有している。さらに、本体部17は両端部に向かって幅寸法が拡大し両端部近傍にて縮小するように成型され、カバー部18，18も本体部17に対応して、それぞれの基端から先端に向かって幅寸法が拡大するように成型されている。本体部17の両端部には、長孔19，19が折り畳み状態にて互いに重なるように、かつ、水平状に貫設されている。正面側に配置されるカバー部18の先端（上端）には突片部20を有し、突片部20にはバックル16が取り付けられている。そして、突片部20の先端部とバックル16は、本体部17の正面側の長孔19と背面側の長孔19を順に通過して、本体部17の両端部を重ねて（折り畳み状に）係止している。
【００１４】
また、図２及び図３に示す首掛け使用姿勢において、連結片５は、展開して、ベルト体２の肩掛けベルト３，３の基部と保持片８と背面ベルト９を収納する挿通孔６を有し、その挿通孔６の両端の開口部７，７からは、肩掛けベルト３，３が突出している。つまり、挿通孔６は、連結片５の本体部17とカバー部18との向かい合う面の間に形成され、カバー部18は、（展開状態の）本体部17の長手方向に伸びる両端縁部に付設されている。また、連結片５の中間部には、本体部17とカバー部18，18の基端縁とで形成される中間開口部22，22を有している。
【００１５】
言い換えると、折り畳み展開可能な連結片５は、Ｙ型使用姿勢（折り畳み状態）で、ベルト体２の背面ベルト９と腰ベルト４の左右中央部とを、着脱自在に取り付けるベルト連結部材であると共に、首掛け使用姿勢（展開状態）では、その両端部から肩掛けベルト３，３を突出するように肩掛けベルト３，３の基部と保持片８と背面ベルト９とを収納する収納ケース兼首パッドである。
また、ベルト体２は、Ｙ型使用姿勢に於て、肩掛け用兼背面固定用のベルトであり、首掛け使用姿勢では、肩掛けベルト３，３を突出させるように、連結片５の挿通孔６内に部分的に収納される首パッド内のクッション材兼首掛け用のベルトである。
【００１６】
さらに、ベルト体２の保持片８は、上下に折り畳まれて、背面ベルト９をその保持片８に巻き付けて固定する固定部材10を備えている（図５参照）。固定部材10は、バンド部材であり、図１に示すＹ型使用姿勢に於て、その両端部にて折返し部13の正面側に水平状に固着されている。
【００１７】
次に、図６と図７に示す第２の実施の形態に於て、図６はＹ型使用姿勢を示し、図７は首掛け使用姿勢を示す。
図６に於て、保持片８の上部の左右端に、取付片部23，23を備え、その取付片部23，23にはバックル21，21が付設されている。さらに、バックル21，21に、左右斜上方向へ延伸状の肩掛けベルト３，３がその長さを調節可能に取り付けられている。なお、図６と図７に於て、図１、図２及び図３と同一の符号は図１、図２及び図３と同様の構成であるので、説明を省略する。
また、本発明のプロテクターは設計変更自由であり、突片部20を挿通孔６内に収納し易くするために、突片部20の基部を、カバー部18の上端部に付設するのでなく、本体部17の開口部７近傍に付設してもよい（図７参照）。
【００１８】
上述した本発明であるプロテクターの使用方法（作用）について説明する。
Ｙ型使用姿勢から首掛け使用姿勢とする場合について説明する。
まず、図１に於て、肩掛けベルト３，３のワンタッチバックルの雄部14ａ，14ａを雌部15ａ，15ａから取り外し、背面ベルト９を連結片５のバックル16から取り外す。これによって、Ｙ字状のベルト体２はプロテクター本体１から分離した状態となる。
【００１９】
そして、図５（ａ）に示すように、保持片８のベース部12の背面と折返し部13の背面とが向かい合わせになるように、ベース部12に対し折返し部13を折る。さらに、図５（ｂ）に示すように、背面ベルト９を、ベース部12の正面から反対側の折返し部13の正面側へ回して、折返し部13と固定部材10との間を通す。このことを、背面ベルト９全体が保持片８に巻き付くまで繰り返して図５（ｃ）に示す状態とする。
【００２０】
次に、連結片５は、図４（ａ）に示すように、折り畳まれた状態であり、連結片５のバックル16から背面ベルト９が取り外された後、そのバックル16と突片部20とを、連結片５の背面側から正面側に向かって重なった２個の長孔19，19内を通過させ図４（ｂ）に示すようになる。そして、連結片５を展開させ図４（ｃ）に示す状態とする。
【００２１】
さらに、連結片５の挿通孔６内に、バックル16と突片部20とを押し込んで収納し、上記保持片８に背面ベルト９を巻き付けたベルト体２を、一方の開口部７から挿通孔６内に挿入し、両方の開口部７，７からは肩掛けベルト３，３が突出させる。つまり、挿通孔６内には、肩掛けベルト３，３の基部と保持片８と背面ベルト９とを収納する。そして、それぞれの肩掛けベルト３，３を連結片５の長孔19，19に通す（図３参照）。この時、折り畳まれた保持片８は、挿通孔６の中間位置に配置されていることが好ましいが、その位置調整をするのに、中間開口部22から指を入れて保持片８を動かし調整してもよい。
そして、連結片５の本体部17が正面側に配置されるように（カバー部18が背面側に配置されるように）、肩掛けベルト３，３のワンタッチバックルの雄部14ａ，14ａを、プロテクター本体１に付設された雌部15ａ，15ａに取り付けて図２に示す状態とする。
【００２２】
また、ベルト体２の挿通孔６内へ挿入する仕方として、連結片５を少し曲げて中間開口部22からベルト体２を挿通孔６内に挿入し、その後、保持片８の位置調整をしてもよい。また、ベルト体２を挿通孔６内に挿入した後に、バックル16と突片部20とを挿通孔６内に押し込んで収納してもよく、その順は自由に選択できる。
なお、首掛け使用姿勢からＹ型使用姿勢とする場合は、上記首掛け使用姿勢にする手順を逆に行う。
【００２３】
以上のように、本発明であるプロテクターは、プロテクター本体１の背面側に吊り具11と腰ベルト４とを備え、吊り具11は、その上端部にてプロテクター本体１の上部に取り付けられると共に下端部にて腰ベルト４と連結されるＹ型使用姿勢と、プロテクター本体１の上部に略水平状に取り付けられる首掛け使用姿勢と、に部品を余らせたり他部品を追加することなく変更自在となっているので、１つのプロテクターでＹ型使用姿勢と首掛け使用姿勢のどちらのタイプでも使用できる。
このことによって、どちらか一方のタイプのプロテクターを購入した後、使用目的や好み等が変わっても、他のタイプのものに買い換えたり、始めから両方揃えておく必要はなく、経済的な負担の問題や使用しない方の保管の問題は解消される。
【００２４】
さらに、Ｙ型使用姿勢と首掛け使用姿勢とを、一方から他方へ変更する際に、部品が余あったり追加したりすることがないので、使用しない部品の保管をする必要はなく、その部品を紛失する虞れもない。
【００２５】
また、Ｙ型使用姿勢に於て、吊り具11は、Ｙ字状のベルト体２と、ベルト体２の下部に取り付けられる折り畳み状の連結片５と、から成り、ベルト体２は、上部中央の保持片８と、保持片８から左右斜上方向へ延伸状の肩掛けベルト３，３と、保持片８から垂設された背面ベルト９とを、有し、ベルト体２の背面ベルト９と、腰ベルト４の左右中央部位とは、着脱自在に、連結片５を介して連結され、さらに、首掛け使用姿勢に於て、連結片５は、展開して、ベルト体２の肩掛けベルト３，３の基部と保持片８と背面ベルト９とを収納し両端の開口部７，７から肩掛けベルト３，３を突出する挿通孔６を具備するので、Ｙ型使用姿勢と首掛け使用姿勢とを、一方から他方へ変更する際に、部品が余ったり追加したりすることがない。このことによって、使用しない部品を保管する必要はなく、部品を紛失する虞れもない。
【００２６】
さらに、連結片５は、Ｙ型使用姿勢（折り畳み状態）に於て、ベルト連結部材として利用でき、首掛け使用姿勢（展開状態）では、収納ケース兼首パッドとして利用できる。
また、ベルト体２を、Ｙ型使用姿勢に於て、肩掛け用兼背面固定用のベルトとして使用でき、首掛け使用姿勢では、首パッド内のクッション材兼首掛け用のベルトとして使用できる。
【００２７】
また、首掛け使用姿勢に於て、ベルト体２の保持片８は、上下に折り畳まれて、背面ベルト９をその保持片８に巻き付けて固定する固定部材10を備えたので、Ｙ型使用姿勢から首掛け使用姿勢に変更する場合、連結片５の挿通孔６内に、背面ベルト９を巻き付けた保持片８等を挿入し易い。
【図面の簡単な説明】
【００２８】
【図１】本発明の第１の実施の形態を示す背面図である。
【図２】背面図である。
【図３】要部背面図である。
【図４】説明用斜視図である。
【図５】説明用斜視図である。
【図６】第２の実施の形態を示す要部背面図である。
【図７】要部背面図である。
【符号の説明】
【００２９】
１  プロテクター本体
２  ベルト体
３  肩掛けベルト
４  腰ベルト
５  連結片
６  挿通孔
７  開口部
８  保持片
９  背面ベルト
10  固定部材
11  吊り具
【図１】
2006043225.tif 000003
【図２】
2006043225.tif 000004
【図３】
2006043225.tif 000005
【図４】
2006043225.tif 000006
【図５】
2006043225.tif 000007
【図６】
2006043225.tif 000008
【図７】
2006043225.tif 000009